(57)【特許請求の範囲】
【請求項１】
給水管に接続され、ボウル部に洗浄水を供給する主給水機構と、
前記ボウル部の排水管部に一端が接続され、他端の排水口が上方側を向き前記ボウル部に溜水可能とする溜水状態と下方側を向く排水状態とに切り替えられるトラップ部と、
補助タンクに貯留された洗浄水を供給する補助給水機構と、を備えており、
前記主給水機構から供給される洗浄水と前記補助給水機構から供給される洗浄水とによって、前記ボウル部の排水管部を封水する構成とされ、
前記補助給水機構は、前記トラップ部が前記排水状態から前記溜水状態に向けて切り替えが開始された以降で、かつ前記ボウル部の水位が排水状態の最低レベルから破封レベルまで上昇する間に洗浄水の供給を開始することを特徴とする便器装置。
【請求項２】
請求項１において、
前記補助タンクは、前記給水管に接続される前記主給水機構の主給水ラインから分岐した補助給水ラインに接続されており、前記主給水機構から前記ボウル部への給水を停止させた後に、該補助タンクへの洗浄水の補給がなされることを特徴とする便器装置。
【請求項３】
請求項１または２において、
前記補助給水機構は、前記ボウル部の排水管部が破封する水位となるレベル以下のボウル部内に設けられた補助給水口から洗浄水を供給することを特徴とする便器装置。
【請求項４】
請求項１または２において、
前記補助給水機構は、上方側を向いた前記トラップ部の排水口に向けて前記補助タンクに貯留された洗浄水を供給する補助給水口を備えていることを特徴とする便器装置。
【請求項５】
給水管に接続され、ボウル部に洗浄水を供給する主給水機構と、
前記ボウル部の排水管部に一端が接続され、他端の排水口が上方側を向き前記ボウル部に溜水可能とする溜水状態と下方側を向く排水状態とに切り替えられるトラップ部と、
補助タンクに貯留された洗浄水を、前記トラップ部が前記排水状態から前記溜水状態に向けて切り替えが開始された以降に供給する補助給水機構と、を備えており、
前記主給水機構から供給される洗浄水と前記補助給水機構から供給される洗浄水とによって、前記ボウル部の排水管部を封水する構成とされ、
前記補助給水機構は、上方側を向いた前記トラップ部の排水口に向けて前記補助タンクに貯留された洗浄水を供給する補助給水口を備えていることを特徴とする便器装置。
【発明の詳細な説明】
【技術分野】
【０００１】
本発明は、便器装置に関する。
【背景技術】
【０００２】
従来より、便器装置には、封水のために排水経路を屈曲させてサイホン式等の種々のトラップ部が設けられている。このようなものでは、トラップ部を超えて汚物が搬送されるように比較的に多量の洗浄水が必要となる傾向があった。
例えば、下記特許文献１には、便器のボウルの排水管部に固定端部を固定し、自由端部側が上下方向に変位する蛇腹状のホースをトラップ手段として設けた水洗便器が開示されている。
【先行技術文献】
【特許文献】
【０００３】
【特許文献１】特開平１１−２１００５２号公報
【発明の概要】
【発明が解決しようとする課題】
【０００４】
しかしながら、上記特許文献１に記載されたような水洗便器では、ボウルの溜水を排水する際には、ホースの自由端部側が下向きとなるように駆動される。このようにホースの自由端部側が下側を向いた状態では、ボウル内の水位が低下し、封水が維持されずに排水管部を介して便器の排水管の接続先（下水管等）とボウルとが通気可能に連通する、いわゆる破封が生じることが考えられた。
【０００５】
本発明は、上記実情に鑑みてなされたものであり、洗浄水量の低減が可能でありながらも、破封時間を短縮し得る便器装置を提供することを目的としている。
【課題を解決するための手段】
【０００６】
前記目的を達成するために、本発明に係る便器装置は、給水管に接続され、ボウル部に洗浄水を供給する主給水機構と、前記ボウル部の排水管部に一端が接続され、他端の排水口が上方側を向き前記ボウル部に溜水可能とする溜水状態と下方側を向く排水状態とに切り替えられるトラップ部と、補助タンクに貯留された洗浄水を供給する補助給水機構と、を備えており、前記主給水機構から供給される洗浄水と前記補助給水機構から供給される洗浄水とによって、前記ボウル部の排水管部を封水する構成とされ、前記補助給水機構は、前記トラップ部が前記排水状態から前記溜水状態に向けて切り替えが開始された以降で、かつ前記ボウル部の水位が排水状態の最低レベルから破封レベルまで上昇する間に洗浄水の供給を開始することを特徴とする。
【発明の効果】
【０００７】
本発明に係る便器装置は、上述のような構成としたことで、洗浄水量の低減が可能でありながらも、破封時間を短縮することができる。
【図面の簡単な説明】
【０００８】
【図１】（ａ）は、本発明の一実施形態に係る便器装置の一例を模式的に示す一部省略概略縦断面図、（ｂ）は、同便器装置において実行される基本動作の一例を模式的に示す概略タイムチャートである。
【図２】（ａ）は、本発明の他の実施形態に係る便器装置の一例を模式的に示す一部省略概略縦断面図、（ｂ）は、同便器装置において実行される基本動作の一例を模式的に示す概略タイムチャートである。
【図３】（ａ）は、本発明の更に他の実施形態に係る便器装置の一例を模式的に示す一部省略概略縦断面図、（ｂ）は、同便器装置において実行される基本動作の一例を模式的に示す概略タイムチャートである。
【図４】（ａ）は、本発明の更に他の実施形態に係る便器装置の一例を模式的に示す一部省略概略縦断面図、（ｂ）は、同便器装置において実行される基本動作の一例を模式的に示す概略タイムチャートである。
【発明を実施するための形態】
【０００９】
以下に本発明の実施の形態について、図面に基づいて説明する。
なお、以下の各実施形態では、便器装置が設置された状態を基準として上下方向等の方向を説明する。
また、図１（ｂ）、図２（ｂ）、図３（ｂ）及び図４（ｂ）のグラフでは、横軸を時間軸、縦軸をボウル部の水位とし、その推移を模式的に示している。また、図１（ｂ）、図２（ｂ）、図３（ｂ）及び図４（ｂ）の概略タイムチャートでは、各機器の上下動作や開閉動作等を模式的に示している。
【００１０】
図１は、第１実施形態に係る便器装置を模式的に示す図である。
本実施形態に係る便器装置１は、図１（ａ）に示すように、床等の設置面に設置される着座式のいわゆる洋式の便器装置とされている。
この便器装置１は、ボウル部（便鉢）１１や、給水管４及び外部排水管５に接続される給排水機構等が設けられた便器本体１０を備えている。また、便器本体１０には、ボウル部１１に対して開閉自在（起倒自在）とされた便座や便蓋３が設けられている。
【００１１】
この便器装置１に、便座や便蓋３を開閉する開閉装置や、脱臭装置、局部洗浄装置、便座や局部洗浄用水等を温める加熱装置、洗剤供給装置等の各種機能装置や機能部材を設けた構成としてもよい。
また、便器装置１に、人体検知センサや着座センサ等の各種センサを設けた構成としてもよく、上記した各種機能装置を操作する操作部としてのリモコン装置や、リモコン装置の各種信号の送受信を可能とする送受信装置等を設けた構成としてもよい。
【００１２】
ボウル部１１は、上方に向けて開口するすり鉢状とされ、上端には、リム部１２が周方向に延びるように設けられている。また、ボウル部１１の下部には、後方側に向けて延びるように排水管部１３が設けられている。
便器装置１は、このボウル部１１の排水管部１３に一端の接続口１５が接続され、他端の排水口１６が上方側を向きボウル部１１に溜水可能とする溜水状態と下方側を向く排水状態とに切り替えられるトラップ部１４を備えている。つまり、この便器装置１は、排水機構のトラップ部を、いわゆるターントラップ式のものとしている。
【００１３】
トラップ部１４は、排水口１６側の端部が、上下方向に変位する蛇腹筒状とされている。
このトラップ部１４は、ボウル部１１の排水管部１３と外部排水管５とを連通するように便器本体１０内に設けられたトラップケースに収容されている。
便器本体１０には、このトラップ部１４の排水口１６側の端部を上下動させる駆動機構が設けられている。このような駆動機構としては、モーター等の回転駆動部によってアーム軸１８廻りに一端部が回転自在に保持され、他端部の連結部がトラップ部１４の排水口１６側の端部に連結された駆動アーム１７を備えたものとしてもよい。
【００１４】
このトラップ部１４を切り替える駆動アーム１７の回転駆動は、排水及び溜水が可能となるように、洗浄操作部の操作や各種センサーの検知等による洗浄操作によってなされる当該便器装置１の洗浄水の給水動作に連動するようになされる。
図１（ａ）の実線にて示すように、駆動アーム１７の連結部がアーム軸１８よりも高い位置となるように駆動アーム１７を回転させた状態とすれば、トラップ部１４の排水口１６がボウル部１１の排水管部１３よりも上方側に位置し、溜水が可能な溜水状態となる。この溜水状態では、トラップ部１４の排水口１６に略至るまで溜水され、ボウル部１１の排水管部１３が封水された状態となる。この溜水状態における水位となる溜水レベルＬＶ１は、ボウル部１１内の溜水面が低くなりすぎないよう適宜のレベルとしてもよい。
【００１５】
一方、図１（ａ）の二点鎖線にて示すように、駆動アーム１７の連結部がアーム軸１８よりも低い位置となるように駆動アーム１７を回転させた状態とすれば、トラップ部１４の排水口１６が下側を向き、排水が可能な排水状態となる。このようにトラップ部１４が溜水状態から排水状態となる際には、ボウル部１１の水位が徐々に低下する。この際、排水管部１３（またはトラップ部１４）の内周面の下方側に向く天面部位よりも水位が低下すれば、排水管部１３を介して外部排水管５とボウル部１１内とが通気可能に連通する、いわゆる破封が生じる（図１（ｂ）も参照）。つまり、排水管部１３（またはトラップ部１４）の内周面の下方側に向く天面部位の水位が破封する水位となる破封レベルＬＶ２となる。つまりは、ボウル部１１の水位が破封レベルＬＶ２から溜水レベルＬＶ１までの間であれば、排水管部１３の封水が保たれた状態であり、一方、破封レベルＬＶ２よりも低下すれば、破封が生じることとなる。
【００１６】
ボウル部１１に洗浄水を供給する給水機構２０は、便器本体１０内に設けられており、給水元となる給水管（水道管）４に接続される主給水機構２１，２４，２５を備えている。この便器装置１は、水洗タンクを備えていない、いわゆるタンクレスタイプのものとされている。また、この便器装置１は、水道直圧式としてもよい。
また、給水機構２０は、補助タンク２３に貯留された洗浄水を供給する補助給水機構２２，２３，２６，２７，２８，２９を備えている。また、給水機構２０は、主給水機構２１，２４，２５から供給される洗浄水と補助給水機構２２，２３，２６，２７，２８，２９から供給される洗浄水とによって、ボウル部１１の排水管部１３を封水する構成とされている。
【００１７】
主給水機構２１，２４，２５は、給水管４に接続される主給水ライン２４の末端に、ボウル部１１に向けて洗浄水を供給する主給水口２５を設けた構成とされている。
主給水ライン２４には、洗浄水を供給及び遮断する第１給水弁２１が設けられている。この第１給水弁２１は、開閉弁（ＯＮ／ＯＦＦ弁）としてもよい。
主給水口２５は、ボウル部１１のリム部１２に沿わせるように洗浄水を供給するように設けられている。なお、このような態様に代えて、中空筒状とされたリム部に、下方側に向けて開口するように設けられた多数のリム孔を主給水口２５としてもよい。
【００１８】
補助給水機構２２，２３，２６，２７，２８，２９は、補助タンク２３と、この補助タンク２３に洗浄水を供給（補給）するライン２６，２７及び補助タンク２３からの洗浄水を給水先に供給するライン２７，２８と、を備えている。本実施形態では、この補助給水機構２２，２３，２６，２７，２８，２９の給水元を、主給水機構２１，２４，２５と共通の給水管４としている。また、本実施形態では、主給水ライン２４から分岐した補助給水ライン２６，２７，２８に補助タンク２３を接続した構成としている。また、補助給水ライン２６，２７，２８に、給水元（給水管４）からの洗浄水を補助タンク２３に補給する給水元側切替状態と補助タンク２３からの洗浄水を給水先となるボウル部１１に供給する給水先側切替状態と遮断状態とに切り替えられる第２給水弁２２を設けた構成としている。図例では、この第２給水弁２２を、３つの接続口を有した三方切替弁としている。
【００１９】
また、この第２給水弁２２の第１接続口に主給水ライン２４の第１給水弁２１よりも給水元（上流）側から分岐した補助給水ラインを構成する給水元側補助給水ライン２６を接続している。
また、この第２給水弁２２の第２接続口に、補助タンク２３に接続され補助給水ラインを構成する補給・給水兼用ライン２７を接続している。この補給・給水兼用ライン２７は、補助タンク２３に洗浄水を補給するラインで、かつ補助タンク２３からの洗浄水を給水先に供給するラインともなる。
また、この第２給水弁２２の第３接続口に、末端にボウル部１１に洗浄水を供給する補助給水口２９を設けた給水先側補助給水ライン２８を接続している。
【００２０】
この第２給水弁２２を、給水元側補助給水ライン２６と補給・給水兼用ライン２７とが連通するように切り替えた状態（給水元側切替状態）とすれば、給水管４と補助タンク２３とが連通し、補助タンク２３への洗浄水の補給が可能となる。また、この第２給水弁２２を、補給・給水兼用ライン２７と給水先側補助給水ライン２８とが連通するように切り替えた状態（給水先側切替状態）とすれば、補助タンク２３とボウル部１１とが連通し、ボウル部１１への洗浄水の供給が可能となる。また、この第２給水弁２２を、遮断状態とすれば、給水元側補助給水ライン２６、補給・給水兼用ライン２７及び給水先側補助給水ライン２８が互いに非連通状態となる。なお、第２給水弁２２としては、このような三方切替弁に限られず、例えば、２つの開閉弁（ＯＮ／ＯＦＦ弁）によって給水元側切替状態と給水先側切替状態と遮断状態とに切り替え可能とした構成としてもよい。
【００２１】
補助タンク２３は、便器本体１０内に設けられており、図例では、便蓋３等を開閉自在に保持する機構部等が設けられた上ケース部２内に設けた例を示している。
この補助タンク２３の容量は、後記するように、当該便器装置１の洗浄水の給水動作毎に略全量を給水先側へ供給し、補給する態様とした場合には、給水動作毎の補助タンク２３からの供給量が主給水口２５からの供給量よりも小さくなるような容量としてもよい。また、この補助タンク２３の容量を、ボウル部１１の水位が溜水レベルＬＶ１における溜水量に占める補助タンク２３からの供給量の割合が主給水口２５からの供給量よりも小さくなるような容量としてもよい。
また、この補助タンク２３から給水先となるボウル部１１への洗浄水の供給は、補助タンク２３に貯留された洗浄水の自重によってなされるものとしてもよく、適宜の供給ポンプを設けた構成とし、この供給ポンプによってなされるものとしてもよい。
【００２２】
補助給水口２９は、本実施形態では、ボウル部１１内に設けられている。また、本実施形態では、補助給水口２９を、上記した破封レベルＬＶ２以下のボウル部１１内において開口するように設けた構成としている。図例では、補助給水口２９を、トラップ部１４との接続部近傍の排水管部１３の内周面の底側部位において開口するように設けた例を示している。また、補助給水口２９を、排水管部１３の内周面の底側部位からトラップ部１４側となる斜め上方に向けて開口させた例を示している。
なお、破封レベルＬＶ２以下のボウル部１１内に補助給水口２９を設ける位置としては、このような位置に限られない。例えば、図１（ａ）の二点鎖線にて示すように、給水先側補助給水ライン２８Ａの末端の補助給水口２９Ａを、上記した補助給水口２９よりも反トラップ部側のボウル部１１の内面となる底部において開口するように設けた構成としてもよい。図例では、この補助給水口２９Ａを、排水管部１３の管中心と概ね同高さとなるような位置で、排水管部１３側に向けて開口するように設けた例を示している。その他、破封レベルＬＶ２以下のボウル部１１内において開口するように種々の位置に補助給水口を設けるようにしてもよい。また、このようにボウル部１１内において開口するように補助給水口２９，２９Ａを設け、洗浄水等が給水先側補助給水ライン２８，２８Ａに逆流する場合には、適宜、逆止弁等の逆流防止機構を設けるようにしてもよい。
【００２３】
また、便器装置１は、上記したトラップ部１４の駆動機構や第１給水弁２１、第２給水弁２２を作動制御する制御部１９を備えている。これらトラップ部１４の駆動機構や第１給水弁２１、第２給水弁２２は、信号線等を介して制御部１９に接続されている。
制御部１９には、例えば、ＣＰＵ等の制御回路や、メモリ等によって構成され各種動作プログラム等を記憶する記憶部等が設けられている。
本実施形態では、後記するように、この制御部１９によって、上記した洗浄操作に伴うトラップ部１４の作動制御や、第１給水弁２１及び第２給水弁２２の作動制御がなされる。
以下、本実施形態に係る便器装置１において実行される基本動作の一例を、図１（ｂ）を参照して説明する。
【００２４】
図１（ｂ）に示すように、洗浄操作がなされれば、第２給水弁２２は遮断状態（閉状態）のままで第１給水弁２１を開放させ、主給水口２５からボウル部１１へ向けて洗浄水（主洗浄水）を供給する。この第１給水弁２１を開放させた後、所定時間が経過すれば、溜水状態のトラップ部１４を排水状態へ切り替える。これにより、ボウル部１１の水位が溜水レベルＬＶ１から徐々に低下し、破封レベルＬＶ２をも下回り、供給される洗浄水が順次、排水される状態となる。
また、本動作例では、トラップ部１４がこの排水状態から溜水状態に向けて切り替えが開始された以降に、補助タンク２３に貯留された洗浄水（補助洗浄水）を給水先に供給する構成としている。図例では、排水状態とされたトラップ部１４の溜水状態への切り替えと略同時に第２給水弁２２を遮断状態（閉状態）から給水先側切替状態（開状態）とした例を示している。これにより、主給水口２５からの主洗浄水に加え、補助洗浄水が補助給水口２９からボウル部１１に供給され、ボウル部１１の水位が比較的に急激に上昇する。
【００２５】
また、本動作例では、補助タンク２３に貯留された洗浄水の略全量を、一度の給水動作において給水先側に供給する構成としている。つまり、補助タンク２３からの給水先側への補助洗浄水の供給が終了すれば、補助タンク２３は、略空の状態となる。
なお、第２給水弁２２の給水先側切替状態への切り替え、つまり、補助タンク２３に貯留された洗浄水の給水開始タイミングは、トラップ部１４の溜水状態への切り替えと略同時に限られない。ボウル部１１の水位が排水状態の最低レベルから破封レベルＬＶ２まで上昇する際に、補助タンク２３に貯留された洗浄水の少なくとも一部が給水先（ボウル部１１）に供給されるように補助タンク２３に貯留された洗浄水の給水を開始させるようにすればよい。つまりは、主給水口２５からの主洗浄水と補助タンク２３からの補助洗浄水の少なくとも一部とによって破封状態のボウル部１１の排水管部１３の封水がなされるように補助タンク２３に貯留された洗浄水の給水を開始させるようにすればよい。
【００２６】
好ましくは、補助タンク２３からの補助洗浄水が便器外に排水されないように、トラップ部１４が溜水状態への変位を開始してから所定の遅延時間が経過した後に、補助タンク２３に貯留された洗浄水の給水を開始させるようにしてもよい。より好ましくは、補助タンク２３からの補助洗浄水の略全量がボウル部１１の排水管部１３の封水に利用されるように補助タンク２３の容量及び給水開始タイミングを設定するようにしてもよい。このような補助タンク２３の容量及び給水開始タイミングは、補助タンク２３の小型化を図る観点や、破封時間を短縮する観点等から適宜、設定するようにしてもよい。
また、第２給水弁２２を給水先側切替状態とする時間（開時間）は、補助タンク２３内の略全量の洗浄水の排出が可能なように適宜、設定するようにしてもよい。または、適宜のセンサー等によって補助タンク２３内の洗浄水量を検出し、該センサーの空レベルの検出に基づいて第２給水弁２２を給水先側切替状態から遮断状態に切り替えるような態様等としてもよい。
【００２７】
そして、第２給水弁２２を遮断状態（閉状態）とし、ボウル部１１の水位が所定の溜水レベルＬＶ１となれば、第１給水弁２１を閉鎖、つまり、主給水機構２１，２４，２５からのボウル部１１への給水を停止させる。図例では、第２給水弁２２を遮断状態とした後も主給水口２５からの主洗浄水の供給がなされ、ボウル部１１の水位が比較的に緩やかに上昇し、破封レベルＬＶ２を超え、所定の溜水レベルＬＶ１となる状態を例示している。
この第１給水弁２１の閉鎖タイミング、つまりは、第１給水弁２１の開時間は、ボウル部１１の水位が所定の溜水レベルＬＶ１となるように適宜、設定するようにしてもよい。または、ボウル部１１の水位が所定の溜水レベルＬＶ１となったことを検出する流量センサーや水位センサー等の種々のセンサーの検出に基づいて、第１給水弁２１を閉鎖するようにしてもよい。
また、本動作例では、主給水機構２１，２４，２５からボウル部１１への給水を停止させた後に、補助タンク２３への洗浄水の補給を行うようにしている。つまり、第１給水弁２１を閉鎖した後に、第２給水弁２２を遮断状態（閉状態）から給水元側切替状態（開状態）に切り替えるようにしている。図例では、第１給水弁２１を閉鎖した直後に、第２給水弁２２を遮断状態から給水元側切替状態に切り替える態様としているが、第１給水弁２１を閉鎖し、所定時間が経過した後に、第２給水弁２２を遮断状態から給水元側切替状態に切り替える態様等としてもよい。
【００２８】
上記のように第２給水弁２２を遮断状態（閉状態）から給水元側切替状態（開状態）に切り替えれば、補助タンク２３に洗浄水が補給される。また、補助タンク２３に所定量の洗浄水が貯留されれば、第２給水弁２２を給水元側切替状態から遮断状態とする。
この第２給水弁２２を給水元側切替状態とする時間（開時間）は、補助タンク２３に所定量の洗浄水が貯留されるように適宜、設定するようにしてもよい。または、適宜のセンサー等によって補助タンク２３内の洗浄水量を検出し、該センサーの満レベルの検出に基づいて第２給水弁２２を給水元側切替状態から遮断状態に切り替えるような態様等としてもよい。
以降、洗浄操作がなされる毎に上記同様の動作がなされる。
なお、上記した例では、洗浄操作がなされる前に、補助タンク２３に既に洗浄水が貯留されているものとして説明したが、当該便器装置１の設置時等に、予め補助タンク２３に洗浄水の貯留がなされるものとしてもよい。
【００２９】
本実施形態に係る便器装置１は、上述のような構成としたことで、洗浄水量の低減が可能でありながらも、破封時間を短縮することができる。
つまり、ボウル部１１の排水管部１３に一端が接続され、他端の排水口１６が上方側を向きボウル部１１に溜水可能とする溜水状態と下方側を向く排水状態とに切り替えられるトラップ部１４を備えた構成としている。従って、例えば、汚物がトラップ部を超えるように比較的に高い水圧や多量の洗浄水が必要となるサイホン式等のトラップ部を設けたようなものと比べて、洗浄水量を低減することができ、また、排水音も小さくすることができる。
【００３０】
また、主給水機構２１，２４，２５から供給される洗浄水と補助タンク２３に貯留された洗浄水を供給する補助給水機構２２，２３，２６，２７，２８，２９から供給される洗浄水とによって、ボウル部１１の排水管部１３を封水する構成としている。従って、主給水機構２１，２４，２５のみからの給水によって封水するようなものと比べて、封水のために給水される洗浄水の流量を一時的に増加させることができ、早期に封水することができ、破封時間を短縮することができる。
【００３１】
また、本実施形態では、補助タンク２３を、給水管４に接続される主給水機構２１，２４，２５の主給水ライン２１から分岐した補助給水ライン２６，２７，２８に接続している。従って、便器装置１を単一の給水管４に接続することができ、主給水機構２１，２４，２５及び補助給水機構２２，２３，２６，２７，２８，２９のそれぞれに接続される二本の給水管を要するようなものと比べて、施工性を向上させることができる。
また、主給水機構２１，２４，２５からボウル部１１への給水を停止させた後に、補助タンク２３への洗浄水の補給がなされる構成としている。従って、主給水機構２１，２４，２５からボウル部１１への給水と補助タンク２３への補給とを同時に行うようなものと比べて、ボウル部１１に供給される洗浄水の流量が低下するようなことを抑制することができ、ボウル部１１の水位を早期に溜水レベルＬＶ１にすることができる。
【００３２】
また、本実施形態では、補助給水機構２２，２３，２６，２７，２８，２９を、トラップ部１４が排水状態から溜水状態に向けて切り替えが開始された以降に、補助タンク２３に貯留された洗浄水を供給する構成としている。従って、例えば、トラップ部１４が排水状態で補助タンク２３に貯留された洗浄水の供給を開始させるようなものと比べて、補助タンク２３から供給された洗浄水がトラップ部１４を経て排水される量を低減することができ、早期に封水可能でありながらも、洗浄水量を効果的に低減することができる。
【００３３】
また、本実施形態では、補助給水機構２２，２３，２６，２７，２８，２９を、ボウル部１１の排水管部１３が破封する水位となるレベル（破封レベルＬＶ２）以下のボウル部１１内に設けられた補助給水口２９から洗浄水を供給する構成としている。従って、例えば、補助給水機構２２，２３，２６，２７，２８，２９の給水口を、ボウル部１１の上側部位やリム部１２に給水するように設けたようなものと比べて、ボウル部１１の排水管部１３を封水する時間をより効果的に短縮化することができる。また、補助給水口２９がボウル部１１内の比較的に低い位置に設けられるため、主給水機構２１，２４，２５の主給水口２５を介してリム部１２及びボウル部１１内面に沿って流下する洗浄水との衝突による水はねを抑制することができる。
【００３４】
次に、本発明に係る他の実施形態について、図面を参照しながら説明する。
図２は、第２実施形態に係る便器装置の一例を模式的に示す図である。
なお、上記第１実施形態との相違点について主に説明し、同様の構成については、同一の符号を付し、その説明を省略または簡略に説明する。また、後記する基本動作の一例においても、上記第１実施形態との相違点について主に説明し、同様の動作については、説明を省略または簡略に説明する。
【００３５】
本実施形態に係る便器装置１Ａは、図２（ａ）に示すように、便器本体１０Ａに設けられた給水機構２０Ａの態様が上記第１実施形態とは主に異なる。
本実施形態では、補助タンク２３Ａに、主給水ライン２４Ａから分岐し、補助タンク２３Ａに洗浄水を補給する給水元側補助給水ライン２６Ａと、補助タンク２３Ａからの洗浄水を給水先に供給する給水先側補助給水ライン２８Ａと、を接続している。つまり、上記第１実施形態のような補助タンク２３に洗浄水を補給するラインと補助タンク２３からの洗浄水を給水先に供給するラインとを兼用するライン２７を補助給水ラインの一部に設けた態様とは異なる態様としている。
【００３６】
また、給水先側補助給水ライン２８Ａに、洗浄水を供給及び遮断する第２給水弁２２Ａを設けた構成としている。この第２給水弁２２Ａは、開閉弁（ＯＮ／ＯＦＦ弁）としてもよい。
また、給水先側補助給水ライン２８Ａの末端の補助給水口２９Ｂを、破封レベルＬＶ２よりも上側のボウル部１１Ａ内に設けた構成としている。図例では、便器奥行方向奥側のボウル部１１Ａ内の上端部位において開口するように補助給水口２９Ｂを設けた例を示している。また、補助給水口２９Ｂからの洗浄水がボウル部１１Ａの内面に沿って流下するように補助給水口２９Ｂをボウル部１１Ａの内面の傾斜に沿わせるように開口させた例を示している。なお、補助給水口２９Ｂをボウル部１１Ａ内において開口させる位置は、このような位置に限られず、その他、破封レベルＬＶ２よりも上側のボウル部１１Ａ内において開口するように種々の位置に補助給水口を設けるようにしてもよい。
【００３７】
また、本実施形態では、給水機構２０Ａに、給水元（給水管４）からの洗浄水を給水先となるボウル部１１Ａに供給する給水先側切替状態と給水元（給水管４）からの洗浄水を補助タンク２３に補給するタンク側切替状態と遮断状態とに切り替えられる第１給水弁２１Ａを設けた構成としている。図例では、この第１給水弁２１Ａを、３つの接続口を有した三方切替弁とし、主給水ライン２４Ａの給水元側を第１接続口に接続し、主給水ライン２４Ａの給水先側を第２接続口に接続し、給水元側補助給水ライン２６Ａを第３接続口に接続した例を示している。つまり、図例では、第１給水弁２１Ａを介して補助給水ラインとしての給水元側補助給水ライン２６Ａを主給水ライン２４Ａから分岐させた構成とした例を示している。
【００３８】
この第１給水弁２１Ａを、主給水ライン２４Ａの給水元側と給水先側とが連通するように切り替えた状態（給水先側切替状態）とすれば、給水管４とボウル部１１Ａとが連通し、ボウル部１１Ａへの主洗浄水の供給が可能となる。また、第１給水弁２１Ａを、主給水ライン２４Ａの給水元側と給水元側補助給水ライン２６Ａとが連通するように切り替えた状態（タンク側切替状態）とすれば、給水管４と補助タンク２３Ａとが連通し、補助タンク２３Ａへの洗浄水の補給が可能となる。また、この第１給水弁２１Ａを、遮断状態とすれば、主給水ライン２４Ａの給水元側及び給水先側並びに給水元側補助給水ライン２６Ａが互いに非連通状態となる。なお、第１給水弁２１Ａとしては、このような三方切替弁に限られず、例えば、２つの開閉弁（ＯＮ／ＯＦＦ弁）によって給水先側切替状態とタンク側切替状態と遮断状態とに切り替え可能とした構成としてもよい。
【００３９】
本実施形態においても、上記第１実施形態と概ね同様、制御部１９によって、上記した洗浄操作に伴うトラップ部１４の作動制御や、第１給水弁２１Ａ及び第２給水弁２２Ａの作動制御がなされる。
以下、本実施形態に係る便器装置１Ａにおいて実行される基本動作の一例を、図２（ｂ）を参照して説明する。
図２（ｂ）に示すように、洗浄操作がなされれば、第２給水弁２２Ａは閉状態のままで第１給水弁２１Ａを遮断状態（閉状態）から給水先側切替状態（開状態）とし、主給水口２５からボウル部１１Ａへ向けて洗浄水（主洗浄水）を供給する。このように第１給水弁２１Ａを切り替えた後、上記同様、所定時間が経過すれば、溜水状態のトラップ部１４を排水状態へ切り替える。
【００４０】
また、上記同様、トラップ部１４が排水状態から溜水状態に向けて切り替えが開始された以降に、補助タンク２３Ａに貯留された洗浄水（補助洗浄水）を給水先に供給する。つまり、第２給水弁２２Ａを開放させ、補助タンク２３Ａに貯留された洗浄水をボウル部１１Ａに供給し、第２給水弁２２Ａを閉鎖する。
そして、上記同様、主給水機構２１Ａ，２４Ａ，２５からのボウル部１１Ａへの給水を停止させた後に、補助タンク２３Ａへの洗浄水の補給を行う。つまり、第２給水弁２２Ａを閉鎖した後、ボウル部１１Ａの水位が所定の溜水レベルＬＶ１となれば、第１給水弁２１Ａを給水先側切替状態からタンク側切替状態（開状態）に切り替え、補助タンク２３Ａに洗浄水を補給し、第１給水弁２１Ａを遮断状態（閉状態）とする。図例では、ボウル部１１Ａの水位が所定の溜水レベルＬＶ１となれば、第１給水弁２１Ａを給水先側切替状態から直ちにタンク側切替状態に切り替えた例を示しているが、上記同様、このような態様に限られない。
以降、洗浄操作がなされる毎に上記同様の動作がなされる。
本実施形態に係る便器装置１Ａにおいても、上記した第１実施形態と概ね同様の効果を奏する。
【００４１】
次に、本発明に係る更に他の実施形態について、図面を参照しながら説明する。
図３は、第３実施形態に係る便器装置の一例を模式的に示す図である。
なお、上記第１実施形態との相違点について主に説明し、同様の構成については、同一の符号を付し、その説明を省略または簡略に説明する。また、後記する基本動作の一例においても、上記第１実施形態との相違点について主に説明し、同様の動作については、説明を省略または簡略に説明する。
【００４２】
本実施形態に係る便器装置１Ｂは、図３（ａ）に示すように、便器本体１０Ｂに設けられた給水機構２０Ｂの態様が上記第１実施形態とは主に異なる。
本実施形態では、給水先側補助給水ライン２８の末端の補助給水口２９Ｃを、上方側を向いたトラップ部１４の排水口１６に向けて補助タンク２３に貯留された洗浄水を供給するように設けている。つまり、本実施形態では、補助給水口２９Ｃを、ボウル部１１Ｂ内において開口させずに、トラップケース内において、上方側を向いたトラップ部１４の排水口１６に対向するように開口させた構成としている。つまりは、補助給水機構を構成する補助タンク２３の給水先を、ボウル部１１Ｂではなく、トラップ部１４としている。また、本実施形態では、トラップ部１４が排水状態から溜水状態に変位する途中の状態においても補助給水口２９Ｃからトラップ部１４の排水口１６への洗浄水の供給が可能となるように補助給水口２９Ｃを設けている。図例では、補助給水口２９Ｃを、溜水状態とされたトラップ部１４の排水口１６の便器奥行方向奥側となる縁部の上方において開口させた例を示している。
【００４３】
本実施形態においても、上記第１実施形態と概ね同様、制御部１９によって、上記した洗浄操作に伴うトラップ部１４の作動制御や、第１給水弁２１及び第２給水弁２２の作動制御がなされる。
以下、本実施形態に係る便器装置１Ｂにおいて実行される基本動作の一例を、図３（ｂ）を参照して説明する。
図３（ｂ）に示すように、洗浄操作がなされれば、上記同様、第２給水弁２２は遮断状態（閉状態）のままで第１給水弁２１を開放させ、所定時間が経過すれば、溜水状態のトラップ部１４を排水状態へ切り替える。
本動作例では、トラップ部１４が排水状態から溜水状態に向けて切り替えが開始された以降で、かつ、トラップ部１４の排水口１６に補助給水口２９Ｃからの洗浄水の供給が可能となれば、第２給水弁２２を給水先側切替状態（開状態）とする構成としている。このトラップ部１４の排水口１６に補助給水口２９Ｃからの洗浄水の供給が可能となったか否かの判別は、適宜のセンサーや、所定動作からの経過時間等によって判別するようにしてもよい。
【００４４】
図例では、トラップ部１４が排水状態から溜水状態に変位する途中の状態で補助タンク２３からの洗浄水の供給を開始させる態様とした例を示している。なお、このような態様に代えて、トラップ部１４が溜水状態となれば、補助タンク２３からの洗浄水の供給を開始させる態様としてもよい。
また、図例では、ボウル部１１Ｂの水位が、排水状態の最低レベルと破封レベルＬＶ２との間の途中レベルとなった際に、補助タンク２３に貯留された洗浄水の供給を開始する態様を例示している。
そして、上記同様、主給水機構２１，２４，２５からのボウル部１１Ｂへの給水を停止させた後に、補助タンク２３への洗浄水の補給を行う。つまり、ボウル部１１Ｂの水位が所定の溜水レベルＬＶ１となれば、第１給水弁２１を閉鎖し、第２給水弁２２を給水元側切替状態（開状態）として補助タンク２３に洗浄水を補給し、第２給水弁２２を遮断状態（閉状態）とする。図例では、第１給水弁２１の閉鎖と略同時に、第２給水弁２２を給水先側切替状態から給水元側切替状態とする例を示しているが、上記同様、このような態様に限られない。
以降、洗浄操作がなされる毎に上記同様の動作がなされる。
【００４５】
本実施形態に係る便器装置１Ｂにおいても、上記した第１実施形態と概ね同様の効果を奏する。
また、本実施形態では、補助給水口２９Ｃを、上方側を向いたトラップ部１４の排水口１６に向けて補助タンク２３に貯留された洗浄水を供給するように設けている。従って、汚物等が付着（沈着）し易いトラップ部１４の排水状態において底側となる内周面に直接的に補助給水口２９Ｃから洗浄水を当てることができ、汚物等の付着（沈着）を抑制することができる。また、主給水機構２１，２４，２５の主給水口２５を介してリム部１２及びボウル部１１Ｂ内面に沿って流下する洗浄水との衝突による水はねを抑制することができる。
【００４６】
次に、本発明に係る更に他の実施形態について、図面を参照しながら説明する。
図４は、第４実施形態に係る便器装置の一例を模式的に示す図である。
なお、上記第１実施形態との相違点について主に説明し、同様の構成については、同一の符号を付し、その説明を省略または簡略に説明する。また、後記する基本動作の一例においても、上記第１実施形態との相違点について主に説明し、同様の動作については、説明を省略または簡略に説明する。
【００４７】
本実施形態に係る便器装置１Ｃは、図４（ａ）に示すように、便器本体１０Ｃに設けられた給水機構２０Ｃの態様が上記第１実施形態とは主に異なる。
本実施形態では、上記した各実施形態のように補助給水口を主給水口とは別に設けずに、共通の主・補助吸水口２５Ａとしている。つまりは、給水管４からの主洗浄水と補助タンク２３からの補助洗浄水とを、共通の主・補助吸水口２５Ａから給水先となるボウル部１１Ｂに向けて供給する構成としている。
また、給水管４に接続される主・補助給水ライン２４Ｂに、上記同様の第１給水弁２１を設け、この第１給水弁２１よりも上流側において補給・給水兼用ライン２６Ｂを分岐させ、補助タンク２３に接続した構成としている。また、補給・給水兼用ライン２６Ｂに、洗浄水を供給及び遮断する第２給水弁２２Ｂを設けた構成としている。この第２給水弁２２Ｂは、開閉弁（ＯＮ／ＯＦＦ弁）としてもよい。
【００４８】
本実施形態においても、上記第１実施形態と概ね同様、制御部１９によって、上記した洗浄操作に伴うトラップ部１４の作動制御や、第１給水弁２１及び第２給水弁２２Ｂの作動制御がなされる。
以下、本実施形態に係る便器装置１Ｃにおいて実行される基本動作の一例を、図４（ｂ）を参照して説明する。
図４（ｂ）に示すように、洗浄操作がなされれば、上記同様、第２給水弁２２Ｂは閉状態のままで第１給水弁２１を開放させ、所定時間が経過すれば、溜水状態のトラップ部１４を排水状態へ切り替える。
【００４９】
そして、上記同様、トラップ部１４が排水状態から溜水状態に向けて切り替えが開始された以降に、補助タンク２３に貯留された洗浄水（補助洗浄水）を給水先に供給する。つまり、第２給水弁２２Ｂを開放させ、補助タンク２３に貯留された洗浄水をボウル部１１Ｂに供給し、第２給水弁２２Ｂを閉鎖する。この補助タンク２３に貯留された洗浄水を供給する際に、補給・給水兼用ライン２６Ｂに水道圧が掛かる場合には、適宜の供給ポンプを用いて供給するようにしてもよい。または、例えば、補給・給水兼用ライン２６Ｂ及び主・補助給水ライン２４Ｂの配管径や接続態様を適宜のものとし、主・補助給水ライン２４Ｂに絞り部等を設け、いわゆるベンチュリー作用によって補助タンク２３の洗浄水の供給がなされるものとしてもよい。さらには、第１給水弁２１の下流側の主・補助給水ライン２４Ｂに、補助タンク２３に貯留された洗浄水を供給するラインを別途、接続し、第２給水弁２２Ｂを適宜の切替弁や２つの開閉弁とし、補助タンク２３の洗浄水の供給がなされるものとしてもよい。
【００５０】
そして、上記同様、主給水機構２１，２４Ｂ，２５Ａからのボウル部１１Ｂへの給水を停止させた後に、補助タンク２３への洗浄水の補給を行う。つまり、第２給水弁２２Ｂを閉鎖した後、ボウル部１１Ｂの水位が所定の溜水レベルＬＶ１となれば、第１給水弁２１を閉鎖し、第２給水弁２２Ｂを開放させて補助タンク２３に洗浄水を補給し、第２給水弁２２Ｂを閉鎖する。図例では、第１給水弁２１の閉鎖と略同時に、第２給水弁２２Ｂを開放させる例を示しているが、上記同様、このような態様に限られない。
以降、洗浄操作がなされる毎に上記同様の動作がなされる。
本実施形態に係る便器装置１Ｃにおいても、上記した第１実施形態と概ね同様の効果を奏する。
【００５１】
なお、上記した各実施形態において説明した互いに異なる構成や動作を、適宜、組み合わせたり、組み替えたりして適用するようにしてもよい。
また、上記した例では、トラップ部１４が排水状態から溜水状態に向けて切り替えが開始された以降に、補助タンク２３，２３Ａに貯留された洗浄水を給水先に供給する構成とした例を示しているが、このような態様に限られない。例えば、トラップ部１４が排水状態において補助タンク２３，２３Ａに貯留された洗浄水の供給を開始させるようにしてもよい。
また、上記した例では、給水動作毎に補助タンク２３，２３Ａ内の洗浄水の略全量が入れ替えられる構成とした例を示しているが、このような態様に限られず、給水動作毎に補助タンク２３，２３Ａ内の洗浄水の一部が入れ替えられる構成等としてもよい。
【００５２】
また、上記した例では、補助タンク２３，２３Ａに洗浄水を補給する給水元を主給水機構と共通の給水管４とし、主給水機構からボウル部への給水を停止させた後に、補助タンク２３，２３Ａへの補給を行う態様とした例を示しているが、このような態様に限られない。補助タンク２３，２３Ａに洗浄水を補給する給水元を主給水機構とは別の給水管とし、適宜のタイミングで補給を行うようにしてもよい。
また、上記した各基本動作や、上記各実施形態における給水機構２０，２０Ａ，２０Ｂ，２０Ｃの配管パターンや第１給水弁、第２給水弁の配設態様、補助タンク２３，２３Ａの容量等は、一例に過ぎず、種々の変更が可能である。
【符号の説明】
【００５３】
１，１Ａ，１Ｂ，１Ｃ  便器装置
１１，１１Ａ，１１Ｂ  ボウル部
１３                  排水管部
１４                  トラップ部
１６                  排水口
２１，２１Ｂ          第１給水弁（主給水機構）
２１Ａ                第１給水弁（主給水機構、補助給水機構）
２２，２２Ａ，２２Ｂ  第２給水弁（補助水機構）
２３，２３Ａ          補助タンク（補助給水機構）
２４，２４Ａ          主給水ライン（主給水機構）
２４Ｂ                主・補助給水ライン（主給水機構、補助給水機構）
２５                  主給水口（主給水機構）
２５Ａ                主・補助給水口（主給水口、補助給水口）
２６，２６Ａ          給水元側補助給水ライン（補助給水ライン、補助給水機構）
２６Ｂ，２７          補給・給水兼用ライン（補助給水ライン、補助給水機構）
２８，２８Ａ          給水先側補助給水ライン（補助給水ライン、補助給水機構）
２９，２９Ａ，２９Ｃ  補助給水口（補助給水機構）
４                    給水管
ＬＶ２                破封レベル（破封する水位となるレベル）
【図１】
0006497610.tif 000002
【図２】
0006497610.tif 000003
【図３】
0006497610.tif 000004
【図４】
0006497610.tif 000005